(57)【要約】【課題】居室空間を有する建築物において、自然風の風向が変化しても、この自然風を利用して効率的、安定的に居室空間の換気を行うことのできる換気構造を提供する。【解決手段】建築物Ｂ１の居室空間１０内の換気を行うための換気構造１として、建築物Ｂ１の隣り合う二つの出隅部１Ｃの間の壁面中間部１Ｍから居室空間１０に連通する給気ダクト１１と、出隅部１Ｃ壁面から居室空間１０に連通する排気ダクト１２とを備える。給気ダクト１１内には、居室空間１０内の空気が屋外に流出することを防止する給気ダクト逆流防止ダンパ１３を備えると良い。また、排気ダクト１２内には、屋外の空気が居室空間１０内に流入することを防止する排気ダクト逆流防止ダンパ１４を備えると良い。【選択図】  図１
2004163056.tif 000002
【特許請求の範囲】
【請求項１】
建築物の居室空間内の換気を行うための換気構造であって、
前記建築物の隣り合う二つの出隅部の間の壁面中間部から前記居室空間に連通する給気ダクトと、
前記出隅部の壁面から前記居室空間に連通する排気ダクトとが備えられていることを特徴とする換気構造。
【請求項２】
前記給気ダクト内に設けられ、前記居室空間内の空気が屋外に流出するのを防止する逆流防止ダンパが備えられていることを特徴とする請求項１に記載の換気構造。
【請求項３】
前記排気ダクト内に設けられ、屋外の空気が前記居室空間内に流入するのを防止する逆流防止ダンパが備えられていることを特徴とする請求項１又は２に記載の換気構造。
【請求項４】
前記給気ダクト及び／又は前記排気ダクト内に設けられ、これらの内部を通過する気流の風量を安定させる風量調整ダンパが備えられていることを特徴とする請求項１〜３のいずれか一項に記載の換気構造。
【請求項５】
前記建築物の壁面から前記居室空間に連通する補助ダクトと、
前記給気ダクト及び／又は前記排気ダクト内に設けられ、これらの内部を通過する気流の風量を検知するセンサと、
前記補助ダクト内に設けられ、前記センサにより検知された風量が所定値より小さい時に、屋外から前記居室空間内に空気を供給するか又は前記居室空間内から屋外に空気を排出する換気ファンとが備えられていることを特徴とする請求項１〜４のいずれか一項に記載の換気構造。
【発明の詳細な説明】
【０００１】
【発明の属する技術分野】
本発明は、居室空間を有する建築物の換気構造に関する。
【０００２】
【従来の技術】
従来、自然風を集合住宅や事務所ビルなどの居室空間を有する建築物における自然風を利用する換気構造としては、例えば特許文献１に記載された発明が案出されている。
図６に示すように、かかる発明の換気構造１０１では、主給気ダクト１１２と主排気ダクト１１３とが、建築物１１０を水平方向に貫通するように設けられ、主給気ダクト１１２の給気口１１２ａ，１１２ｂおよび主排気ダクト１１３の排気口１１３ａ，１１３ｂが建築物１１０の対向する二つの外壁にそれぞれ開口するようにして設けられている。
また、主給気ダクト１１２から分岐した分岐給気ダクト１１４と、主排気ダクト１１３から分岐した分岐排気ダクト１１６とが、居室空間１１１と連通するように設けられている。
【０００３】
そして、風の方向に応じて給気口１１２ａ又は１１２ｂから主給気ダクト１１２に外気が流入し、この外気が分岐給気ダクト１１４を通じて居室空間１１１内に供給される。無風状態の時には、センサ１１７がこれを検知し、ファン１１９を作動させてダクト１１８から主給気ダクト１１２に外気を流入させる。
次いで、居室空間１１１内の空気は、分岐排気ダクト１１６に押し出されて主排気ダクト１１３に流入し、排気口１１３ｂ又は１１３ａから屋外に排出される。
このようにして、自然風を利用して居室空間１１１内の換気を行うようになっている。
【０００４】
【特許文献１】
特許２８９７８７３号公報（図１）
【０００５】
【発明が解決しようとする課題】
しかし、上記の換気構造１０１は、対向する二つの外壁面に吹き付ける風を専ら利用するものであり、これに直行する方向から吹き付ける自然風を利用して居室空間の換気を行うことは困難である。
ここで、特に高層の集合住宅や事務所ビル、商業ビルなどでは、四方から風を受けるため、風向が変化しても、自然風を有効に活用して居室空間の換気を行うことのできる換気構造が求められる。
【０００６】
本発明の課題は、居室空間を有する建築物において、自然風の風向が変化しても、この自然風を利用して効率的、安定的に居室空間の換気を行うことのできる換気構造を提供することである。
【０００７】
【課題を解決するための手段】
以上の課題を解決するため、請求項１に記載の発明は、例えば図１、図４、図５に示すように、建築物Ｂ１〜Ｂ３の居室空間１０，２０，３０内の換気を行うための換気構造１〜３であって、
前記建築物Ｂ１〜Ｂ３の隣り合う二つの出隅部１Ｃ，２Ｃ，３Ｃの間の壁面中間部１Ｍ，２Ｍ，３Ｍから前記居室空間１０，２０，３０に連通する給気ダクト１１，２１，３１と、
前記出隅部１Ｃ，２Ｃ，３Ｃの壁面から前記居室空間１０，２０，３０に連通する排気ダクト１２，２２，３２とが備えられていることを特徴とする。
ここで、上記居室空間とは、一つの部屋から構成されたものであっても良く、また、通気可能であっても良い。
また、居室空間とは、入居者が継続的に使用する部屋に限らず、建築物におけるあらゆる部屋を指すものとする。
【０００８】
請求項１に記載の発明によれば、建築物の隣り合う二つの出隅部間の壁面中間部が受ける風圧の合計は、種々の風向について、出隅部壁面が受ける風圧の合計よりも大きくなることが多いため、壁面中間部から給気ダクトを通じて外気を居室空間に導入するとともに、居室空間から排気ダクトを通じて出隅部壁面へ空気を排出することができる。
したがって、建築物に対する風向に左右されることなく、自然風を利用して居室空間の換気を効率的・安定的に行うことができる。
【０００９】
請求項２に記載の発明は、例えば図１、図４、図５に示すように、請求項１に記載の換気構造１〜３において、
前記給気ダクト１１，２１，３１内に設けられ、前記居室空間１０，２０，３０内の空気が屋外に流出するのを防止する逆流防止ダンパ（逆流防止・風量調整ダンパ）１３，２３，３３が備えられていることを特徴とする。
【００１０】
請求項２に記載の発明によれば、風下側の給気ダクトに設けられた逆流防止ダンパが閉じ、この給気ダクトを通じて、居室空間内の空気が屋外に流出することが防止される。
したがって、居室空間の換気をさらに効率的に行うことができる。
【００１１】
請求項３に記載の発明は、例えば図１、図４、図５に示すように、請求項１又は２に記載の換気構造１〜３において、
前記排気ダクト１２，２２，３２内に設けられ、屋外の空気が前記居室空間１０，２０，３０内に流入するのを防止する逆流防止ダンパ（逆流防止・風量調整ダンパ）１４，２４，３４が備えられていることを特徴とする。
【００１２】
請求項３に記載の発明によれば、風上側の排気ダクトに設けられた逆流防止ダンパが閉じ、この排気ダクトを通じて、屋外から居室空間内へと空気が流入することが防止される。
したがって、居室空間の換気をさらに効率的に行うことができる。
【００１３】
請求項４に記載の発明は、例えば図１、図４、図５に示すように、請求項１〜３のいずれか一項に記載の換気構造１〜３において、
前記給気ダクト１１，２１，３１及び／又は前記排気ダクト１２，２２，３２内に設けられ、これらの内部を通過する気流の風量を安定させる風量調整ダンパ（逆流防止・風量調整ダンパ）１３，１４，２３，２４，３３，３４が備えられていることを特徴とする。
ここで、上記風量調整ダンパは、先述の逆流防止ダンパと直列になるように給気ダクト（又は排気ダクト）内に備えても良いし、例えば図２、図３に示すような逆流防止ダンパの機能を兼ね備える逆流防止・風量調整ダンパを用いても良い。
【００１４】
請求項４に記載の発明によれば、給気ダクト及び／又は排気ダクトの内部を通過する気流の風量が風量調整ダンパにより安定化され、建築物が受ける風圧が変化しても、自然風を利用して居室空間の換気を安定的に行うことができる。
【００１５】
請求項５に記載の発明は、例えば図１、図４、図５に示すように、請求項１〜４のいずれか一項に記載の換気構造１〜３において、
前記建築物Ｂ１〜Ｂ３の壁面から前記居室空間１０，２０，３０に連通する補助ダクト１５，２５，３５と、
前記給気ダクト１１，２１，３１及び／又は前記排気ダクト１２，２２，３２内に設けられ、これらの内部を通過する気流の風量を検知するセンサ１６，２６，３６と、
前記補助ダクト１５，２５，３５内に設けられ、前記センサ１６，２６，３６により検知された風量が所定値より小さい時に、前記補助ダクト１５，２５，３５を通じて屋外から前記居室空間１０，２０，３０内に空気を供給するか又は前記居室空間１０，２０，３０内から屋外に空気を排出する換気ファン１７，２７，３７とが備えられていることを特徴とする。
【００１６】
請求項５に記載の発明によれば、センサにより給気ダクト及び／又は排気ダクト内を通過する気流の風量が所定値より小さいことが検知された時、すなわち居室空間を換気するのに十分な強さの自然風が吹いていない時には、換気ファンが作動し、補助ダクトを通じて屋外から居室空間内に空気が導入されるか又は居室空間内から屋外に空気が排出される。
したがって、自然風が弱い時や無風状態の時にも、居室空間の換気を適切に行うことができる。
【００１７】
【発明の実施の形態】
以下、図面を参照して、本発明の好適な実施の形態を具体的に説明する。
【００１８】
本実施の形態に示す三種類の換気構造１〜３は、図１、図４、図５に示すように、平面形状がそれぞれほぼ正方形、星形、正三角形の高層事務所ビルである建築物Ｂ１〜Ｂ３の事務室などの居室空間１０，２０，３０の換気を行うため、これら各居室空間１０，２０，３０の天井裏などに設置されたものである。
ここで、居室空間は、互いに通気可能な二つ以上の部屋（例えばアンダーカット付きドアやがらり付きドアなどで区画された二つ以上の部屋）から構成されたものでも良い。
【００１９】
各換気構造１〜３においては、図１、図４、図５に示すように、建築物Ｂ１〜Ｂ３のそれぞれの平面において互いに隣り合う二つの出隅部１Ｃ，２Ｃ，３Ｃの間の壁面中間部１Ｍ，２Ｍ，３Ｍから居室空間１０，２０，３０に連通する給気ダクト１１，２１，３１と、建築物Ｂ１〜Ｂ３の出隅部１Ｃ，２Ｃ，３Ｃの壁面から居室空間１０，２０，３０に連通する排気ダクト１２，２２，３２とが備えられている。
【００２０】
また、各換気構造１〜３の給気ダクト１１，２１，３１内には、図１、図４、図５に示すように、給気ダクト１１，２１，３１を通じて居室空間１０，２０，３０内の空気が屋外に流出することを防止するとともに、屋外から居室空間１０，２０，３０に供給される外気の風量を安定化させる逆流防止・風量調整ダンパ（逆流防止ダンパ、風量調整ダンパ）１３，２３，３３が備えられている。
【００２１】
同様に、各換気構造１〜３の排気ダクト１２，２２，３２内には、図１、図４、図５に示すように、排気ダクト１２，２２，３２を通じて屋外の空気が居室空間１０，２０，３０内に流入することを防止するとともに、居室空間１０，２０，３０から屋外に排出される空気の風量を安定化させる逆流防止・風量調整ダンパ（逆流防止ダンパ、風量調整ダンパ）１４，２４，３４が備えられている。
【００２２】
ここで、上記逆流防止・風量調整ダンパ１３，１４，２３，２４，３３，３４について、図２、図３を参照して説明する。
逆流防止・風量調整ダンパ１３，１４，２３，２４，３３，３４は、図２に示すように、給気ダクト１１，２１，３１又は排気ダクト１２，２２，３２に連接されることで給気ダクト１１，２１，３１又は排気ダクト１２，２２，３２の一部を構成する円筒状の枠部材１３１、枠部材１３１の内径に対応して円板状に形成される主羽根１３２と、枠部材１３１の内径に対応して半円板状に形成される補助羽根１３４を備えている。
【００２３】
主羽根１３２は、枠部材１３１の軸心方向に直交する主羽根回動軸１３３を介して枠部材１３１の内部に取り付けられ、この主羽根回動軸１３３を中心に円滑に回動可能となっている。
枠部材１３１の上部内面には主羽根ストッパ１３７が設けられ、主羽根１３２が枠部材１３１の内部空間を閉塞する直前の時点で、図２、図３において主羽根１３２の時計回りの回動を規制するようになっている。
【００２４】
主羽根１３２の主羽根回動軸１３３より定常時の風向の風下側を上動作部１３２ａ、風上側を下動作部１３２ｂとする（図２、図３参照）と、上動作部１３２ａ側が下動作部１３２ｂ側よりもわずかに重くなるように、主羽根回動軸１３３は主羽根１３２の重心から僅かにずらした位置に設定されている。
したがって、主羽根１３２が風の抵抗をほとんど受けない無風時および小風量時の状態では、主羽根１３２が反時計回りに回動しようとするが、主羽根１３２がほぼ水平となる位置でこの回動を規制するように、枠部材１３１の内面には例えばビス等の微風量時ストッパ１３９が設けられている。
【００２５】
補助羽根１３４は、主羽根回動軸１３３とほぼ一致する補助羽根回動軸１３５を介して枠部材１３１の内部に取り付けられ、この補助羽根回動軸１３５を中心に円滑に回動可能となっている。
枠部材１３１の下部内面には補助羽根ストッパ１３８が設けられ、補助羽根１３４が枠部材１３１の内部空間のうち補助羽根回動軸１３５より下側部分を閉塞した状態で図２、図３における補助羽根１３４の反時計回りの回動を規制するようになっている。したがって、補助羽根１３４は補助羽根ストッパ１３８よりも左側の領域において円滑に回動可能となっている。
この補助羽根１３４は、ある一定値以上の風圧を右側から受けるまでは、補助羽根回動軸１３５から下に垂れ下がった状態になる。また、図２、図３において左側から風圧を受けても、補助羽根ストッパ１３８により回動を規制される。
【００２６】
上記の通り、無風時および小風量時の状態では上動作部１３２ａが下がるように、主羽根１３２の上動作部１３２ａは下動作部１３２ｂよりもわずかに重く設定されている。これは、主羽根１３２に対する主羽根回動軸１３３の位置をわずかに主羽根１３２の中心からずらすことにより実現しても良いし、あるいは上動作部１３２ａに図示しない重りを設けることにより実現しても良い。
【００２７】
このように構成された逆流防止・風量調整ダンパ１３，１４，２３，２４，３３，３４の動作について、図３を参照して説明する。なお、ここでは、定常時の風向の風下側（図３中、右側）からの風を順気流、風上側（図３中、左側）からの風を逆気流と呼ぶ。また、風量の大きさについての記載は、順気流についてのものとする。
【００２８】
給気ダクト１１，２１，３１又は排気ダクト１２，２２，３２内部の風量が無風・小風量の時には、主羽根１３２の上動作部１３２ａ側が下動作部１３２ｂ側よりも重いため、主羽根１３２が反時計回りに回動しようとするが、図３（ａ）に示すように、微風量時ストッパ１３９によって、この回動が規制され、主羽根１３２はほぼ水平となる。また、補助羽根１３４が補助羽根ストッパ１３８から離れる臨界気流量に達しておらず、補助羽根１３４は下に垂れた状態のままである。これにより、風は主羽根１３２の上部空間を吹き抜ける。
【００２９】
給気ダクト１１，２１，３１又は排気ダクト１２，２２，３２内部が小風量から中風量の時には、補助羽根１３４がある値以上の風圧を右側から受けることになる。そして、補助羽根１３４が補助羽根ストッパー１３８から離れる臨界気流量に達すると、図３（ｂ）に示すように、補助羽根回動軸１３５を中心に補助羽根１３４が時計回りに回動して、補助羽根１３４と枠部材１３１の下部内面との間に隙間が生じる。これにより、風は主羽根１３２の上部空間および補助羽根５の下部空間を吹き抜ける。
また、図３（ｃ）に示すように、主羽根１３２の下面に形成された受風部１３６が補助羽根１３４によって押し上げられることにより、主羽根１３２は時計回りに回動する。
【００３０】
主羽根１３２が時計回りに回動して主羽根１３２の上動作部１３２ａが少し上に上がると、図３（ｃ）に示すように、枠部材１３１の内部において主羽根１３２の上部空間は右側から左側にかけて狭くなる。これにより、前記上部空間を通過する風の流速は右側から左側に向かうにつれて次第に大きくなり、上動作部１３２ａに下動作部１３２ｂに働く揚力よりも大きな揚力が作用する。
このように、給気ダクト１１，２１，３１又は排気ダクト１２，２２，３２内部を流れる風量が増加して、前記揚力が主羽根１３２を回動させる臨界気流量に達し、すると主羽根１３２は時計回りに回動する。中気流量から大気流量に移行する段階になると、主羽根１３２は枠部材１３１を閉じる方向（時計回り）に回動する。
【００３１】
給気ダクト１１，２１，３１又は排気ダクト１２，２２，３２内部を流れる風量がさらに増加すると、図３（ｄ）に示すように、主羽根１３２が時計回りに回動して主羽根ストッパ１３７にぶつかりそうになり、主羽根１３２の上下を通過する気流量が著しく少なくなる。すると、上動作部１３２ａ、下動作部１３２ｂが受ける揚力が小さくなるとともにこれら揚力差も小さくなり、主羽根１３２が少し反対側に回動して主羽根１３２の上下を通過する気流量がわずかに増加する。そして、再び上動作部１３２ａが揚力を受けて主羽根１３２が枠部材１３１を閉じる方向にわずかに回動して主羽根１３２の上下を通過する気流量が少なくなる。以後、徐々に減衰しながらこれらの動作が繰り返されて気流量が安定する。
【００３２】
逆気流の時には、図３（ｅ）に示するように、上動作部１３２ａの下部空間に風溜まりが生じ、上動作部１３２ａの下面が風圧を受けて上に上がり、最終的には図３（ｆ）に示されるように、主羽根１３２が主羽根ストッパ１３７に当接するまで時計回りに回動し、主羽根１３２、補助羽根１３４により枠部材１３１が閉塞される。よって、給気ダクト１１，２１，３１又は排気ダクト１２，２２，３２内を通過する気流量がほぼゼロとなって逆流が防止される。
【００３３】
また、各換気構造１〜３では、図１，図４、図５に示すように、建築物Ｂ１〜Ｂ３の壁面から居室空間１０，２０，３０に連通する補助ダクト１５，２５，３５が設けられている。
一方、給気ダクト１１，２１，３１及び排気ダクト１２，２２，３２内には、これらの内部を通過する気流の風量を検知するセンサ１６，２６，３６が設けられている。
そして、補助ダクト１５，２５，３５内には、センサ１６，２６，３６により検知された風量が所定値より小さい時に、センサ１６，２６，３６から発信される信号を受け、補助ダクト１５，２５，３５を通じて屋外から居室空間１０，２０，３０内に空気を供給する換気ファン１７，２７，３７が備えられている。
【００３４】
以上、本実施の形態に記載の換気構造１〜３によれば、建築物Ｂ１〜Ｂ３の隣り合う二つの出隅部１Ｃ〜３Ｃの間の壁面中間部１Ｍ〜３Ｍが受ける風圧の合計は、種々の風向について、出隅部１Ｃ〜３Ｃの壁面が受ける風圧の合計よりも大きくなることが多いため、壁面中間部１Ｍ〜３Ｍから給気ダクト１１，２１，３１を通じて外気を居室空間１０，２０，３０に導入するとともに、居室空間１０，２０，３０から排気ダクト１２，２２，３２を通じて出隅部１Ｃ〜３Ｃの壁面へ空気を排出することができる。
したがって、建築物Ｂ１〜Ｂ３に対する風向に左右されることなく、自然風を利用して居室空間１０，２０，３０の換気を効率的・安定的に行うことができる。
特に、建築物Ｂ２，Ｂ３においては、出隅部２Ｃ，３Ｃの平面形状が鋭角であることによって、出隅部２Ｃ，３Ｃの周囲の気圧が壁面中間部２Ｍ，３Ｍの周囲の気圧に対して負圧になりやすく、換気効率を高めることができる。
【００３５】
また、風下側の給気ダクト１１，２１，３１に設けられた逆流防止・風量調整ダンパ１３，２３，３３が閉じ、この給気ダクト１１，２１，３１を通じて、居室空間１０，２０，３０内の空気が屋外に流出することが防止される。
したがって、居室空間１０，２０，３０の換気をさらに効率的に行うことができる。
【００３６】
また、風上側の排気ダクト１２，２２，３２に設けられた逆流防止・風量調整ダンパ１４，２４，３４が閉じ、この排気ダクト１２，２２，３２を通じて、屋外から居室空間１０，２０，３０内へと空気が流入することが防止される。
したがって、居室空間１０，２０，３０の換気をさらに効率的に行うことができる。
【００３７】
また、給気ダクト１１，２１，３１及び／又は排気ダクト１２，２２，３２の内部を通過する気流の風量が逆流防止・風量調整ダンパ１３，１４，２３，２４，３３，３４により安定化され、建築物Ｂ１，Ｂ２，Ｂ３が受ける風圧が変化しても、自然風を利用して居室空間１０，２０，３０の換気を安定的に行うことができる。
【００３８】
また、センサ１６，２６，３６により給気ダクト及び／又は排気ダクト内を通過する気流の風量が所定値より小さいことが検知された時、すなわち居室空間１０，２０，３０を換気するのに十分な強さの自然風が吹いていない時には、換気ファン１７，２７，３７が作動し、補助ダクト１５，２５，３５を通じて屋外から居室空間１０，２０，３０内に空気が導入されるか又は居室空間１０，２０，３０内から屋外に空気が排出される。
したがって、自然風が弱い時や無風状態の時にも、居室空間１０，２０，３０の換気を適切に行うことができる。
【００３９】
なお、本発明は、上記の実施の形態に限定されることなく、本発明の趣旨を逸脱しない範囲内において、種々の改良並びに設計の変更を行っても良い。
例えば、逆流防止ダンパ、風量調整ダンパは、上記構成のものに限るものではなく、それぞれ、給気ダクトや排気ダクトを通過する気流の逆流防止、風量調整を実行可能なものであれば、どのような構造のものであってもよい。
また、逆流防止ダンパと風量調整ダンパとを別体とし、これらを給気ダクト（排気ダクト）内に直列になるように備えても良い。
その他、具体的な細部構造等についても適宜に変更可能であることは勿論である。
【００４０】
【発明の効果】
請求項１に記載の発明によれば、建築物の隣り合う二つの出隅部間の壁面中間部が受ける風圧の合計は、種々の風向について、出隅部壁面が受ける風圧の合計よりも大きくなることが多いため、壁面中間部から給気ダクトを通じて外気を居室空間に導入するとともに、居室空間から排気ダクトを通じて出隅部壁面へ空気を排出することができる。
したがって、建築物に対する風向に左右されることなく、自然風を利用して居室空間の換気を効率的・安定的に行うことができる。
【００４１】
請求項２に記載の発明によれば、請求項１に記載の発明により得られる効果に加え、風下側の給気ダクトに設けられた逆流防止ダンパが閉じ、この給気ダクトを通じて、居室空間内の空気が屋外に流出することが防止されるといった利点が得られる。
したがって、居室空間の換気をさらに効率的に行うことができる。
【００４２】
請求項３に記載の発明によれば、請求項１又は２に記載の発明により得られる効果に加え、風上側の排気ダクトに設けられた逆流防止ダンパが閉じ、この排気ダクトを通じて、屋外から居室空間内へと空気が流入することが防止されるといった利点が得られる。
したがって、居室空間の換気をさらに効率的に行うことができる。
【００４３】
請求項４に記載の発明によれば、請求項１〜３のいずれかに記載の発明により得られる効果に加え、給気ダクト及び／又は排気ダクトの内部を通過する気流の風量が風量調整ダンパにより安定化され、建築物が受ける風圧が変化しても、自然風を利用して居室空間の換気を安定的に行うことができるといった利点が得られる。
【００４４】
請求項５に記載の発明によれば、センサにより給気ダクト及び／又は排気ダクト内を通過する気流の風量が所定値より小さいことが検知された時、すなわち居室空間を換気するのに十分な強さの自然風が吹いていない時には、換気ファンが作動し、補助ダクトを通じて屋外から居室空間内に空気が導入されるか又は居室空間内から屋外に空気が排出される。
したがって、請求項１〜４のいずれかに記載の発明により得られる効果に加え、自然風が弱い時や無風状態の時にも、居室空間の換気を適切に行うことができるといった利点が得られる。
【図面の簡単な説明】
【図１】本発明に係る換気構造の一例を示す平面図である。
【図２】図１における風量調整ダンパ（給気（排気）ダクト逆流防止ダンパ）の構造を示す概略図である。
【図３】図２に示した風量調整ダンパの動作を示す断面図である。
【図４】本発明に係る換気構造の他の一例を示す平面図である。
【図５】本発明に係る換気構造のさらに他の一例を示す平面図である。
【図６】従来の換気構造の一例を示す断面図である。
【符号の説明】
１〜３              換気構造
１Ｃ，２Ｃ，３Ｃ    出隅部
１Ｍ，２Ｍ，３Ｍ    中間部
１０，２０，３０    居室空間
１１，２１，３１    給気ダクト
１２，２２，３２    排気ダクト
１３，１４，２３，２４，３３，３４    逆流防止・風量調整ダンパ（逆流防止ダンパ、風量調整ダンパ）
１５，２５，３５    補助ダクト
１６，２６，３６    センサ
１７，２７，３７    ファン
Ｂ１〜Ｂ３          建築物
【図１】
2004163056.tif 000003
【図２】
2004163056.tif 000004
【図３】
2004163056.tif 000005
【図４】
2004163056.tif 000006
【図５】
2004163056.tif 000007
【図６】
2004163056.tif 000008